(57)【要約】【課題】孔版原紙ロールから繰り出される孔版原紙に穿孔を施し、その後切断して複数種類の長さの版を製版可能な孔版製版装置において、より正確な孔版原紙ロールの残量を算出する。【解決手段】未使用時における孔版原紙ロールの全長を第１の記憶手段７０に記憶し、複数種類の印刷ドラム３１のそれぞれに設けられた記憶部９０にその印刷ドラム３１に巻着される版の長さを記憶し、残量算出手段６５が、製版された版の長さを印刷ドラム３１の記憶部９０から読み出し、その読み出した版の長さを第１の記憶手段７０から読み出した上記全長から累積的に減算することにより孔版原紙ロールの残量を算出する。【選択図】          図２
2004188683.tif 000002
【特許請求の範囲】
【請求項１】
孔版原紙ロールから繰り出される孔版原紙に穿孔を施し、その後切断して複数種類の長さの版を製版可能な孔版製版装置に使用される孔版原紙ロールの残量算出方法において、
未使用時における前記孔版原紙ロールの全長および製版可能な前記複数種類の版の長さを記憶し、
製版された版の長さを前記記憶された複数種類の版の長さから選択して前記全長から累積的に減算することにより前記孔版原紙ロールの残量を算出することを特徴とする孔版原紙ロールの残量算出方法。
【請求項２】
孔版原紙ロールから繰り出される孔版原紙に穿孔を施し、その後切断して複数種類の長さの版を製版可能な孔版製版装置において、
未使用時における前記孔版原紙ロールの全長を記憶する第１の記憶手段と、
製版可能な前記複数種類の版の長さを記憶する第２の記憶手段と、
製版された版の長さを前記第２の記憶手段から読み出して該読み出した長さを前記第１の記憶手段に記憶された全長から累積的に減算することにより前記孔版原紙ロールの残量を算出する残量算出手段とを備えたことを特徴とする孔版製版装置。
【請求項３】
前記第１の記憶手段が、前記孔版原紙ロールに設けられていることを特徴とする請求項２記載の孔版製版装置。
【請求項４】
前記複数種類の版の長さのそれぞれに対応する複数種類の印刷ドラムであって、各印刷ドラムに対応する長さの版が巻着される複数種類の印刷ドラムを有し、
前記第２の記憶手段が、前記印刷ドラムの種類と該印刷ドラムに巻着される版の長さとを対応付けて記憶するものであり、
前記残量算出手段が、前記製版された版の長さの読み出しを、前記製版された版が巻着される印刷ドラムの種類を検出し、該検出されたドラムの種類に対応した版の長さを前記第２の記憶手段から読み出すことにより行うものであることを特徴とする請求項２または３記載の孔版製版装置。
【請求項５】
前記複数種類の版の長さのそれぞれに対応する複数種類の印刷ドラムであって、各印刷ドラムに対応する長さの版が巻着される複数種類の印刷ドラムを有し、
前記第２の記憶手段が、前記複数種類の印刷ドラムのそれぞれに設けられた記憶部であって、各記憶部が設けられた印刷ドラムに巻着される版の長さを記憶する複数の記憶部からなるものであり、
前記残量算出手段が、前記製版された版の長さの読み出しを、前記製版された版が巻着される印刷ドラムに設けられた前記記憶部から該記憶部に記憶されている版の長さを読み出すことにより行うものであることを特徴とする請求項２または３記載の孔版製版装置。
【請求項６】
前記残量算出手段により算出された残量に基づいて作成可能な版の枚数を表示する表示手段を有することを特徴とする請求項２から５いずれか１項記載の孔版製版装置。
【請求項７】
請求項１記載の孔版原紙ロールの残量算出方法の実施に使用される孔版原紙ロールであって、前記孔版原紙ロールの全長を記憶する記憶手段を有するものであることを特徴とする孔版原紙ロール。
【請求項８】
前記記憶手段が、前記全長から前記製版された版の長さが累積的に減算された残量を記憶するものであることを特徴とする請求項７記載の孔版原紙ロール。
【請求項９】
前記記憶手段が、前記全長から累積的に減算される前記製版された版の長さの加算値を記憶するものであることを特徴とする請求項７記載の孔版原紙ロール。
【発明の詳細な説明】
【０００１】
【発明の属する技術分野】
本発明は、孔版原紙ロールから繰り出される孔版原紙に穿孔を施し、その後切断して複数種類の長さの版を製版可能な孔版製版装置および該装置に使用される孔版原紙ロールの残量算出方法並びに該方法の実施に使用される孔版原紙ロールに関するものである。
【０００２】
【従来の技術】
従来より、スキャナなどにより原稿を読み取った画像データに基づいてサーマルヘッドなどを駆動して孔版原紙を溶融穿孔し、その後切断して版を作成し、この作成された版を印刷ドラムに巻着して印刷ドラムの内側よりインクを供給し、ローラなどによりインキを印刷用紙に転移することにより印刷を行う孔版印刷装置が種々提案されている。
【０００３】
上記のような孔版印刷装置においては、たとえば、孔版原紙ロールが装置本体に設置され、この孔版原紙ロールから一版分の長さの孔版原紙が繰り出され、この繰り出された孔版原紙に穿孔が施され、その後切断されることにより一版分の版が作成される。そして、上記版の作成を所定の回数行った後、上記孔版原紙ロールを新しいものに交換することにより繰り返して孔版印刷を行うことが可能である。
【０００４】
ここで、上記のような孔版印刷装置において孔版印刷を繰り返して行う際には、上記孔版原紙ロールの残量を把握したい場合があり、また、その残量が一版分の版の長さ以下になった場合に、新しい孔版原紙ロールに交換する必要がある。したがって、特許文献１においては、孔版原紙ロールにメモリなどの記憶手段を設け、この記憶手段に孔版原紙ロールの未使用時の全長を記憶し、製版される度に上記全長から累積的に製版された版の長さを減算することにより孔版原紙ロールの残量を算出する方法が提案されている。
【０００５】
【特許文献１】
特開２００１−１８５０７号公報
【０００６】
【発明が解決しようとする課題】
しかしながら、特許文献１に記載の残量算出方法において孔版原紙ロールの全長から減算される一版分の版の長さは装置毎に設定された一定値であるため、たとえば、複数種類の版の長さのそれぞれに対応する複数種類の印刷ドラムを有し、印刷の際に適宜印刷ドラムを取り替えながら該印刷ドラムに対応した長さの版を形成し、孔版印刷を行うような孔版印刷装置においては、作成した版の長さが上記一定値とは異なる場合が発生し正確な孔版原紙ロールの残量を算出することができない。
【０００７】
本発明は、上記のような事情に鑑み、孔版原紙ロールから繰り出される孔版原紙に穿孔を施し、その後切断して複数種類の長さの版を製版可能な孔版製版装置において、より正確な孔版原紙ロールの残量を算出することができる残量算出方法および孔版製版装置並びに上記方法の実施に使用される孔版原紙ロールを提供することを目的とするものである。
【０００８】
【課題を解決するための手段】
本発明の孔版原紙ロールの残量算出方法は、孔版原紙ロールから繰り出される孔版原紙に穿孔を施し、その後切断して複数種類の長さの版を製版可能な孔版製版装置に使用される孔版原紙ロールの残量算出方法において、未使用時における孔版原紙ロールの全長および製版可能な複数種類の版の長さを記憶し、製版された版の長さを上記記憶された複数種類の版の長さから選択して上記全長から累積的に減算することにより孔版原紙ロールの残量を算出することを特徴とする。
【０００９】
本発明の孔版製版装置は、孔版原紙ロールから繰り出される孔版原紙に穿孔を施し、その後切断して複数種類の長さの版を製版可能な孔版製版装置において、未使用時における孔版原紙ロールの全長を記憶する第１の記憶手段と、製版可能な複数種類の版の長さを記憶する第２の記憶手段と、製版された版の長さを第２の記憶手段から読み出してその読み出した長さを第１の記憶手段に記憶された全長から累積的に減算することにより孔版原紙ロールの残量を算出する残量算出手段とを備えたことを特徴とするものである。
【００１０】
ここで、上記「孔版原紙ロールの全長」とは、孔版原紙ロールにおける孔版原紙の全長のことをいう。
【００１１】
また、上記「複数種類の版の長さ」とは、たとえば、Ａ３長、Ｂ４長、Ａ４長などの規格で定まっている一版分の版の長さことをいう。
【００１２】
また、上記残量算出手段においては、孔版原紙を製版する度に上記残量を算出するようにしてもよいし、第２の記憶手段から読み出した長さまたはその長さを累積的に加算した長さを使用量として記憶しておき、残量算出の要求（たとえば、残量を表示する場合など）に応じて上記記憶した長さを全長から減算することにより上記残量を算出するようにしてもよい。また、上記使用量を第１の記憶手段に記憶しておくようにしてもよい。
【００１３】
また、上記孔版製版装置においては、第１の記憶手段を孔版原紙ロールに設けるようにすることができる。
【００１４】
また、複数種類の版の長さのそれぞれに対応する複数種類の印刷ドラムであって、各印刷ドラムに対応する長さの版が巻着される複数種類の印刷ドラムを有するものとし、第２の記憶手段を、印刷ドラムの種類とその印刷ドラムに巻着される版の長さとを対応付けて記憶するものとし、残量算出手段を、製版された版の長さの読み出しを、製版された版が巻着される印刷ドラムの種類を検出し、その検出されたドラムの種類に対応した版の長さを第２の記憶手段から読み出すことにより行うものとすることができる。
【００１５】
また、複数種類の版の長さのそれぞれに対応する複数種類の印刷ドラムであって、各印刷ドラムに対応する長さの版が巻着される複数種類の印刷ドラムを有するものとし、第２の記憶手段を、複数種類の印刷ドラムのそれぞれに設けられた記憶部であって、各記憶部が設けられた印刷ドラムに巻着される版の長さを記憶する複数の記憶部からなるものとし、残量算出手段を、製版された版の長さの読み出しを、製版された版が巻着される印刷ドラムに設けられた記憶部からその記憶部に記憶されている版の長さを読み出すことにより行うものとすることができる。
【００１６】
また、残量算出手段により算出された残量に基づいて作成可能な版の枚数を表示する表示手段を有するものとすることができる。
【００１７】
本発明の孔版原紙ロールは、請求項１記載の孔版原紙ロールの残量算出方法の実施に使用される孔版原紙ロールであって、孔版原紙ロールの全長を記憶する記憶手段を有するものであることを特徴とする。
【００１８】
また、上記孔版原紙ロールにおいては、記憶手段を、全長から上記製版された版の長さが累積的に減算された残量を記憶するものとすることができる。
【００１９】
また、記憶手段を、全長から累積的に減算される上記製版された版の長さの加算値を記憶するものとすることができる。
【００２０】
【発明の効果】
本発明の孔版原紙ロールの残量算出方法および孔版製版装置によれば、未使用時における孔版原紙ロールの全長を第１の記憶手段に記憶するとともに複数種類の版の長さを第２の記憶手段に記憶し、製版された版の長さを第２の記憶手段から読み出して上記全長から累積的に減算することにより孔版原紙ロールの残量を算出するようにしたので、製版された版の正確な長さを読み出して減算することができ、より正確な孔版原紙ロールの残量を算出することができる。
【００２１】
また、上記孔版製版装置において、上記孔版原紙ロールの全長を記憶する第１の記憶手段を孔版原紙ロールに設けるようにした場合には、いずれの長さの孔版原紙ロールが交換設置された場合においても、それに対応してより正確な残量を算出することができる。また、第１の記憶手段に上記残量も記憶するようにした場合には、所定の枚数の版の作成に使用され、まだ所定の枚数の版が作成可能な使用途中の孔版原紙ロールが設置された場合においても、より正確な残量を算出することができる。
【００２２】
また、製版された版が巻着される印刷ドラムの種類を検出し、その検出されたドラムの種類に対応した製版された版の長さを上記全長から累積的に減算することにより孔版原紙ロールの残量を算出するようにした場合には、上記全長から減算する版の長さを印刷ドラムの種類の検出により自動的に求めることができる。
【００２３】
また、製版された版が巻着された印刷ドラムに設けられた記憶部から上記製版された版の長さを読み出してその読み出した長さを上記全長から累積的に減算することにより孔版原紙ロールの残量を算出するようにした場合には、上記全長から減算する版の長さを自動的に求めることができる。また、いずれの版の長さに対応した印刷ドラムが設置された場合においても、より正確な残量を算出することができる。
【００２４】
また、残量算出手段により算出された残量に基づいて作成可能な版の枚数を表示するようにした場合には、孔版原紙の残量を長さとして表示したり、残量を百分率で表示したりする場合よりも、操作者により便利で分かり易い情報を提供することができる。
【００２５】
本発明の孔版原紙ロールによれば、孔版原紙ロールの全長を記憶する記憶手段を有するものとしたので、操作者により予め全長が把握されていないような孔版原紙ロールが設置されたとしても、上記全長を自動的に得ることができる。
【００２６】
また、上記孔版原紙ロールにおいて、上記記憶手段に上記残量を記憶するようにした場合には、たとえば、使用途中の孔版原紙ロールが設置されたとしてもその使用途中の残量を自動的に得ることができ、その後も正確な残量を算出することができる。
【００２７】
また、上記記憶手段に上記製版された版の長さの加算値を使用量として記憶するようにした場合には、上記全長から使用量を減算することにより上記残量を自動的に得ることができる。また、上記と同様に、たとえば、使用途中の孔版原紙ロールが設置されたとしても、正確な残量を算出することができる。
【００２８】
【発明の実施の形態】
以下、図面を参照しながら本発明の孔版製版装置の一実施形態を利用した孔版印刷装置について説明する。図１は本孔版印刷装置の概略構成図である。
【００２９】
本孔版印刷装置は、図１に示すように、原稿の画像を読み取る読取部１０、読取部１０で読み取られた画像情報に基づいて孔版原紙に製版する製版部２０、製版部２０において製版された孔版原紙Ｍを用いて印刷用紙に印刷を施す印刷部３０、印刷部３０に印刷用紙を給紙する給紙部４０、印刷済みの印刷用紙を排出する排紙部５０、および使用済みの孔版原紙Ｍを廃棄する排版部６０を備えている。
【００３０】
読取部１０は、イメージスキャナであり、副走査方向に搬送される原稿の画像の読み取りを行うラインイメージセンサ１２と原稿送りローラ１４とを有している。
【００３１】
製版部２０は、原紙ロール部２１と、複数個の発熱体が一列配列されてなるサーマルヘッドを有する製版ユニット２２と、原紙送りローラ２３、２４と、原紙案内ローラ２５，２６，２７と、原紙カッタ２８とを有している。そして、図２に示すように、原紙ロール部２１には、製版前の長尺の製版前の孔版原紙Ｍが紙管２１ａに券回された孔版原紙ロール２１ｂがマスターホルダー８０に交換可能な状態で装着されている。そして、孔版原紙ロール２１ｂに紙管２１ａ内の一端部には、紙管２１ａに対して回転自在に設置された支持部材２１ｃに、孔版原紙ロール２１ｂの未使用時の全長および孔版原紙ロール２１ｂの使用後の孔版原紙Ｍの残量を長さとして記憶する第１の記憶手段７０が配置されている。この第１の記憶手段７０は電源を供給しなくても一定期間データを記憶できる不揮発性メモリー（ＥＥＰＲＯＭなど）を構成するメモリーＩＣ７１を備え、このメモリーＩＣ７１が取り付けられた基板７２の先端に接点７３が設けられている。また、図２に示すように、マスターホルダー８０には孔版原紙ロール２１ｂの第１の記憶手段７０の接点７３と電気的に接続するコネクター７４が設置されている。なお、コネクター７４は後述する残量算出手段６５の一部として機能するものである。
【００３２】
孔版原紙ロール２１ｂから繰り出された孔版原紙Ｍは、製版ユニット２２においてサーマルヘッド２２の複数個の発熱体が各々個別に選択的に発熱することにより感熱穿孔され、原紙カッタ２８により切断されることにより一版分の版が形成されるようになっている。
【００３３】
印刷部３０は、多孔金属板、メッシュ構造体などのインキ通過性の円筒状の印刷ドラム３１と、印刷ドラム３１の内部に配置されたスキージローラ３２とドクターローラ３３とによるインキ供給装置３４と、プレスローラ３５とを有している。ドラムの外周には製版後の版が巻き付けられて装着されるようになっている。また、本孔版印刷装置における印刷部３０は、複数種類の版の長さ（たとえば、Ａ３長、Ｂ４長、Ａ４長など）のそれぞれに対応する複数種類の印刷ドラム３１が交換設置可能な構成となっている。そして、印刷ドラム３１の一端部には、ドラムの種類に応じた版の長さを記憶する記憶部９０が配置されている。この記憶部９０は電源を供給しなくても一定期間データを記憶できる不揮発性メモリー（ＥＥＰＲＯＭなど）を構成するメモリーＩＣ９１を備え、このメモリーＩＣ９１が取り付けられた基板９２の先端に接点９３が設けられている。そして、図２に示すように、本孔版印刷装置には、記憶部９０の接点９３と電気的に接続するコネクター９４が設けられている。なお、コネクター９４は後述する残量算出手段６５の一部として機能するものである。
【００３４】
給紙部４０は、印刷用紙Ｐが載置される給紙台４１と、給紙台４１より印刷用紙Ｐを一枚ずつ取り出すピックアップローラ４２と、印刷用紙Ｐを印刷ドラム３１とプレスローラ３５との間に送り出すタイミングローラ４３とを有している。
【００３５】
排紙部５０は、印刷用紙Ｐを印刷ドラム３１より剥ぎ取る剥取爪５１と、排紙送りベルト部５２と、印刷済みの印刷用紙Ｐが積載される排紙台５３とを有している。
【００３６】
排板部６０は、版印刷部３０の一方の側に設けられ、印刷ドラム３１から引き剥がされた使用済みの孔版原紙Ｍが送り込まれる排版ボックス６１と、印刷ドラム３１から使用済み孔版原紙Ｍを引き剥がして排板ボックス６１内へ送り込む排板ローラ６２とを有している。
【００３７】
また、本孔版印刷装置は、図２に示すように、製版する度に、製版された版の長さを未使用時の孔版原紙ロール２１ｂの全長から累積的に減算することにより孔版原紙ロール２１ｂの残量を算出する残量算出手段６５、および残量算出手段６５により算出された残量を表示する表示手段７５を備えている。表示手段７５は、液晶パネルを有するものであり、図１に示すように、孔版印刷装置の上面に設けられるものである。
【００３８】
次に、本孔版印刷装置の作用について説明する。
【００３９】
まず、複数種類の印刷ドラム３１のうちの１つが操作者により選択され設置される。これにより印刷ドラム３１に設けられた記憶部９０の接点９３とコネクタ９４が電気的に接続され、記憶部９０に記憶された印刷ドラム３１の種類に応じた版の長さが残量算出手段６５により読み出され、残量算出手段６５に設けられたメモリ６６に記憶される。一方、マスターホルダー８０に孔版原紙ロール２１ｂが設置され、このことによりマスターホルダー８０に設けられたコネクタ７４と孔版原紙ロール２１ｂに設けられた第１の記憶手段７０の接点７３とが電気的に接続され、第１の記憶手段７０に記憶された未使用時の孔版原紙ロール２１ｂの全長が残量算出手段６５により読み出され、残量算出手段６５に設けられたメモリ６６に記憶される。そして、上記記憶部９０に記憶された版の長さの孔版原紙Ｍが繰り出され、製版部２０において穿孔が施された後、原紙カッタ２８により切断されて印刷ドラム３１に巻着される。そして、インキ供給装置３４により印刷ドラム３１の内側に所定の色のインキが供給される。印刷ドラム３１が図１における反時計回りの方向へ回転駆動されると印刷ドラム３１の回転に同期して所定のタイミングにて印刷用紙Ｐがタイミングローラ４３により図１における左から右へ移動して印刷ドラム３１とプレスローラ３５との間に供給される。そして、印刷用紙Ｐがプレスローラ３５によりドラムの外周面に巻き付けられている孔版原紙Ｍに対し圧接されることにより、印刷用紙Ｐに対して所定の色のインキによる孔版印刷が行われる。
【００４０】
一方、上記製版動作および孔版印刷動作とともに、残量算出手段６５においてメモリ６６に記憶された未使用時の孔版原紙ロール２１ｂの全長から同じくメモリ６６に記憶された版の長さが減算され、孔版原紙ロール２１ｂの残量値として再びメモリ６６に記憶される。そして、このメモリ６６に記憶された残量値は、コネクタ７４および接点７３を介して第１の記憶手段７０に記憶される。また、残量算出手段６５は第１の記憶手段７０に記憶された残量値を上記版の長さで除算し、形成可能な版の枚数を算出し、この枚数を表示手段７５に出力する。表示手段７５は入力された枚数を液晶パネル上に表示する。
【００４１】
そして、次の製版を開始する際、残量算出手段６５は再び印刷ドラム３１の記憶部９０に記憶された版の長さを読み出し、メモリ６６に記憶された残量値から上記版の長さを減算し、メモリ６６に再び記憶する。そして、このメモリ６６に記憶された残量値は、再びコネクタ７４および接点７３を介して第１の記憶手段７０に記憶される。また、残量算出手段６５は上記と同様にして形成可能な版の枚数を算出し、この枚数を表示手段７５に出力し、表示手段７５は再び形成可能な版の枚数を更新して表示する。なお、印刷ドラム３１が異なる種類の印刷ドラム３１に交換設置された場合には、残量算出手段６５は、その交換後の印刷ドラム３１の記憶部９０に記憶された版の長さを残量算出手段６５のメモリ６６に記憶された残量値から減算する。そして、交換後の印刷ドラム３１に応じた版の長さを利用して形成可能な版の枚数を算出し、この枚数を表示手段７５に表示する。
【００４２】
また、マスターホルダー８０に設置された孔版原紙ロール２１ｂがすでに使用済みのものである場合には、残量算出手段６５は孔版原紙ロール２１の第１の記憶手段７０に記憶された残量値を読み出し、この残量値からメモリ６６に記憶された版の長さを減算することにより残量値を算出する。
【００４３】
なお、残量算出手段６５におけるメモリ６６および孔版原紙ロール２１ｂの第１の記憶手段７０には、未使用時の孔版原紙ロール２１ｂの全長および上記のようにして累積的に版の長さが減算されて算出される残量値が記憶されることになるが、上記全長または残量値を残量値が算出される度に上書きして更新するようにしてもよいし、全長および残量値の全てを追加的に記憶するようにしてもよい。
【００４４】
上記孔版製版装置によれば、未使用時における孔版原紙ロール２１ｂの全長を第１の記憶手段７０に記憶するとともに複数種類の版の長さを記憶部９０に記憶し、製版された版の長さを記憶部９０から読み出して上記全長から累積的に減算することにより孔版原紙ロール２１ｂの残量を算出するようにしたので、製版された版の正確な長さを読み出して減算することができ、より正確な孔版原紙ロール２１ｂの残量を算出することができる。
【００４５】
また、上記孔版印刷装置においては、版の長さを印刷ドラム３１に設けられた記憶部９０に記憶するようにしたが、これに限らず、たとえば、印刷ドラム３１の記憶部９０に印刷ドラムの種類を記憶し、残量算出手段６５にドラムの種類とその種類に応じた版の長さとの関係を示すルックアップテーブルを設け、残量算出手段６５が上記ドラムの種類を読み出し、この種類に対応した版の長さをルックアップテーブルを参照することにより求め、この求められた版の長さを上記全長から累積的に減算することにより残量値を算出するようにしてもよい。また、ドラムの種類を示すバーコードなどを印刷ドラム３１に設け、これを残量算出手段６５が読み出し、上記と同様にしてルックアップテーブルを参照することにより版の長さを求め、残量値を算出するようにしてもよい。
【００４６】
また、版の長さの情報は、必ずしも印刷ドラム３１が有している必要はなく、操作者がキーボードやタッチパネルなどの所定の入力手段により入力した版の長さの種類（たとえば、Ａ３、Ｂ４、Ａ４など）に基づいてその種類に対応した版の長さを求めるようにしてもよい。
【００４７】
また、孔版原紙ロール２１ｂに設けられた第１の記憶手段７０および印刷ドラム３１に設けられた記憶部９０から孔版原紙Ｍの全長または残量値を読み出す機構については、上記のように接点７３，９３とコネクタ７４，９４を電気的に接合する機構に限らず、他の機構を採用してもよい。また、赤外線などの無線を利用して上記全長または残量値を読み出すようにしてもよい。
【００４８】
また、残量算出手段６５において算出された残量が一定値以下になった場合に、警告ランプを点灯させたり、メッセージなどを表示手段７５などにより表示したり、警告音を鳴らすようにしてもよい。
【００４９】
また、上記実施形態の孔版印刷装置においては、穿孔の施された孔版原紙Ｍが正常に切断されたか否かを検出するセンサを設け、このセンサにより上記切断が正常に行われていないと検出された場合には印刷ドラム３１を数度回転させ、その後再度製版処理を行うようにする場合がある。上記のような動作を行う場合には、上記数度の印刷ドラム３１の回転により使用された孔版原紙Ｍの長さも減算して孔版原紙ロール２１ｂの残量を算出するようにすればよい。
【図面の簡単な説明】
【図１】本発明の製版装置の一実施形態を利用した孔版印刷装置の概略構成図
【図２】図１に示す孔版印刷装置の一部を示すブロック図
【符号の説明】
１０    読取部
１２    ラインイメージセンサ
１４    原稿送りローラ
２０    製版部
２１    原紙ロール部
２１ａ    紙管
２１ｂ    孔版原紙ロール
２２    製版ユニット
２８    原紙カッタ
３０    印刷部
３１    印刷ドラム
４０    給紙部
５０    排紙部
６０    排版部
６５    残量算出手段
７０    第１の記憶手段
７１，９１    メモリＩＣ
７２，９２    基板
７３，９３    接点
７４，９４    コネクタ
７５    表示手段
８０    マスターホルダー
９０    記憶部
【図１】
2004188683.tif 000003
【図２】
2004188683.tif 000004